(57)【要約】【課題】携帯電話端末に対し鳴動着信の煩わしさを無くし、携帯電話端末側の操作をすることなしにサーバーで自動的に携帯電話端末のデータバックアップができ、また情報処理端末から携帯電話端末のデータ管理を可能にする。【解決手段】サーバー５は、ＩＰ網４および携帯電話網３を介し定期的に携帯電話端末１へ着信要求を行い無鳴動で着信させ、サーバー５に保存しているバックアップ用データを携帯電話端末１に対し送信する。携帯電話端末１の中央制御部１２は、メモリ１１に保存しているデータと、サーバー５から受信したメモリ５１に保存しているバックアップ用データとを比較し、差分データの検出を行う。差分が検出された場合に、この差分データを付加した応答メッセージをサーバー５に送信する。サーバー５は、この差分データを受信し携帯電話端末１に係わるバックアップ用データを更新する。【選択図】      図１
2004228659.tif 000002
【特許請求の範囲】
【請求項１】
ネットワークを介し定期的に携帯電話端末へ着信要求を行い無鳴動で着信させ、サーバーに保存しているバックアップ用データを当該携帯電話端末に対し送信し、この当該携帯電話端末に保存しているデータとバックアップ用データとを比較させて、差分データが存在する場合にこの差分データを受信し当該携帯電話端末に係わるバックアップ用データを更新する手段を備えることを特徴とするサーバー。
【請求項２】
携帯電話端末のデータバックアップ用のサーバーからネットワークを介し定期的に着信要求を受け無鳴動で着信し、当該携帯電話端末に保存しているデータと前記サーバーから受信した当該携帯電話端末に係わるバックアップ用データとを比較し差分データの検出を行い、差分が検出された場合に前記差分データを付加した応答メッセージを前記サーバーに送信する手段を備えることを特徴とする携帯電話端末。
【請求項３】
請求項１記載のサーバーおよび請求項２記載の携帯電話端末を備えることを特徴とするデータバックアップシステム。
【請求項４】
携帯電話端末に保存されているデータを自己の記憶手段に格納するデータバックアップ用のサーバーであって、携帯電話端末へ着信要求を行う着信要求信号を定期的に送信するため任意の周期を設定するタイマ設定部と、前記タイマ設定部の設定値を超えたときに携帯電話端末へ前記着信要求信号および当該携帯電話端末のバックアップ用データを送信する着信要求送信部と、前記着信要求信号を送信した後に当該携帯電話端末から応答メッセージを受信する応答確認部と、前記応答メッセージに当該携帯電話端末側差分データが付加されているか否かを判定する差分判定部と、前記差分判定部が差分データの存在を確認した場合前記記憶手段における当該携帯電話端末に係わるバックアップ用データを更新するデータ更新部とを備えることを特徴とするサーバー。
【請求項５】
ネットワークを介しデータバックアップ用のサーバーと接続する携帯電話端末であって、着信が通常着信および前記サーバーからの着信のいずれであるかを判定する着信判定部と、前記着信判定部が前記サーバーからの着信であると判定した場合に無鳴動で着信する無鳴動着信部と、前記サーバーから送信されたデータを受信し当該携帯電話端末の記憶手段に保存されているデータと比較し差分の有無を検出するデータ判定部と、前記データ判定部によって差分データの存在が確認された場合その差分データを付加した応答メッセージを前記サーバーに送信する応答メッセージ送信部とを備えることを特徴とする携帯電話端末。
【請求項６】
請求項４記載のサーバーおよび請求項５記載の携帯電話端末を備えることを特徴とするデータバックアップシステム。
【請求項７】
ネットワークを介して接続される情報処理端末からの指示に基づき、保存している携帯電話端末に係わるデータの編集を行うデータ編集部を備えることを特徴とする請求項４記載のサーバー。
【請求項８】
前記データ判定部の指示に基づき、保存しているデータの更新を行うデータ更新部を備えることを特徴とする請求項５記載の携帯電話端末。
【請求項９】
ネットワークを介して接続される情報処理端末と、請求項７記載のサーバーと、請求項８記載の携帯電話端末とを備えることを特徴とするデータバックアップシステム。
【請求項１０】
携帯電話端末に保存しているデータをネットワークに接続されるサーバーでバックアップを行うデータバックアップ方法であって、前記サーバーから定期的に携帯電話端末へ着信要求を行い無鳴動で着信させ、バックアップ用に保存しているデータを当該携帯電話端末に対し送信するステップと、当該携帯電話端末から受信した応答メッセ−ジの中に当該携帯電話端末によって検出された差分データが存在するか否かを判定するステップと、この差分データが存在する場合にはこのデータに基づいて前記サーバーに保存している当該携帯電話端末のバックアップ用データを更新するステップとを有することを特徴とするデータバックアップ方法。
【請求項１１】
携帯電話端末に保存しているデータをネットワークに接続されるサーバーでバックアップを行うデータバックアップ方法であって、前記携帯電話端末で、前記サーバーからの着信か否かを判定するステップと、前記サーバー以外からの着信の場合には通常着信を行うステップと、前記サーバーからの着信の場合には無鳴動で着信を行うステップと、前記サーバーから受信した当該携帯電話端末に係わるバックアップ用データと当該携帯電話端末に保存しているデータとを比較し差分データを検出するステップと、前記差分データが検出された場合に差分データが存在することを示す応答メッセージおよび前記差分データを前記サーバーに送信するステップとを有することを特徴とするデータバックアップ方法。
【請求項１２】
携帯電話端末に保存しているデータをネットワークに接続されるサーバーでバックアップを行うデータバックアップ方法であって、外部の情報処理端末から前記サーバーに保存されている携帯電話端末に係わるバックアップ用データの編集がなされた場合に前記サーバーで保存データの差分を検出するステップと、差分データを検出した場合そのデータを付加し当該携帯電話端末へ着信要求を送信し無鳴動で着信させるステップと、当該携帯電話端末でのデータ更新後に応答メッセージの受信を確認するステップとを有することを特徴とするデータバックアップ方法。
【請求項１３】
携帯電話端末に保存しているデータをネットワークに接続されるサーバーでバックアップを行うデータバックアップ方法であって、前記携帯電話端末で、前記サーバーからの着信か否かを判定するステップと、前記サーバー以外からの着信の場合には通常着信を行うステップと、前記サーバーからの着信の場合には無鳴動で着信を行うステップと、前記サーバーから受信した当該携帯電話端末に係わるバックアップ用差分データに基づいて当該携帯電話端末内のデータを更新するステップと、更新完了後に応答メッセージを前記サーバーに送信するステップとを有することを特徴とするデータバックアップ方法。
【請求項１４】
携帯電話端末に保存しているデータをネットワークに接続されるサーバーでバックアップを行うデータバックアップ方法であって、前記サーバーから定期的に前記携帯電話端末へ着信要求を行い無鳴動で着信させるステップと、前記携帯電話端末で検出した位置情報に差分が生じているか否かを判定するステップと、差分が生じている場合には応答メッセージに位置情報データの差分を付加し差分がない場合には差分なしの応答メッセージを前記サーバーに送信するステップとを有することを特徴とするデータバックアップ方法。
【請求項１５】
携帯電話端末に保存しているデータをネットワークに接続されるサーバーでバックアップを行うデータバックアップ方法であって、前記携帯電話端末が圏外あるいは電源オフで電波が届かない状態から電波が届く状態になった時点で位置登録を携帯電話網に行うステップと、前記位置登録を受付けこの携帯電話網が前記サーバーを起動するステップと、前記サーバーでは当該携帯電話端末へ未送信のサーバー側差分データが存在するか否かを検出するステップと、このサーバー側差分データが存在する場合に当該携帯電話端末に無鳴動で着信しサーバー側差分データを送信するステップと、当該携帯電話端末ではこのサーバー側差分データに基づき携帯電話端末内のデータを更新するステップと、携帯電話端末側差分データが存在する場合にはこの差分データを応答メッセージと共に前記サーバーに送信するステップと、前記サーバーでは受信した携帯電話端末側差分データに基づき当該携帯電話端末に係わるバックアップ用データを更新するステップとを有することを特徴とするデータバックアップ方法。
【発明の詳細な説明】
【０００１】
【発明の属する技術分野】
本発明は携帯電話端末に保存されているデータのバックアップに関し、特にネットワークを介しデータバックアップを行うサーバー、携帯電話端末、データバックアップシステムおよびデータバックアップ方法に関する。
【０００２】
【従来の技術】
従来、この種のデータバックアップとしては、移動無線端末装置は、保持する端末情報がサーバー装置に保持する端末情報と異なる場合には、移動無線端末装置の端末情報をサーバー装置が保持する正しい端末情報に更新している（例えば、特許文献１参照）。また、他の例としてバックアップサーバーでは、携帯電話機からの送信要求に応じ、あらかじめ更新され保存しているダイヤルデータをディスクから読み出し、回線網を介して当該の携帯電話機に送信している（例えば、特許文献２参照）。さらに、サービス局にバックアップ用として保存したユーザ情報を携帯電話機にダウンロードする技術が開示されている（例えば、特許文献３参照）。
【０００３】
【特許文献１】
特開２００１−２１６２２３（段落番号００３３、図２）
【特許文献２】
特開２００１−２９８５２２（段落番号００３５）
【特許文献３】
特開２００１−３５２５８４（段落番号００４９）
【０００４】
【発明が解決しようとする課題】
しかし、上述した従来のサーバーおよび携帯電話端末においては、Ｐａｇｉｎｇ（呼び出し）を受けると必ず鳴動を伴う（あるいは振動による）着信の動作に入るため、携帯電話端末利用者はそれがサーバーからの着信要求か、通常呼の着信か判別できないという問題があり、また、携帯電話端末のデータを外部からデータ管理することができないという問題がある。
【０００５】
本発明の目的は、携帯電話端末に対し鳴動着信の煩わしさを無くし、携帯電話端末側の操作をすることなしにサーバーで自動的に携帯電話端末のデータバックアップができ、また情報処理端末から携帯電話端末のデータ管理を可能とし、携帯電話端末使用者に対する利便性およびサービス向上が図れるサーバー、携帯電話端末、データバックアップシステムおよびデータバックアップ方法を提供することにある。
【０００６】
【課題を解決するための手段】
本発明のサーバーは、ネットワークを介し定期的に携帯電話端末へ着信要求を行い無鳴動で着信させ、サーバーに保存しているバックアップ用データを当該携帯電話端末に対し送信し、この当該携帯電話端末に保存しているデータとバックアップ用データとを比較させて、差分データが存在する場合にこの差分データを受信し当該携帯電話端末に係わるバックアップ用データを更新する手段を備える。
【０００７】
本発明の携帯電話端末は、携帯電話端末のデータバックアップ用のサーバーからネットワークを介し定期的に着信要求を受け無鳴動で着信し、当該携帯電話端末に保存しているデータと前記サーバーから受信した当該携帯電話端末に係わるバックアップ用データとを比較し差分データの検出を行い、差分が検出された場合に前記差分データを付加した応答メッセージを前記サーバーに送信する手段を備える。
【０００８】
本発明のデータバックアップシステムは、ネットワークを介し定期的に携帯電話端末へ着信要求を行い無鳴動で着信させ、サーバーに保存しているバックアップ用データを当該携帯電話端末に対し送信し、この当該携帯電話端末に保存しているデータとバックアップ用データとを比較させて、差分データが存在する場合にこの差分データを受信し当該携帯電話端末に係わるバックアップ用データを更新する手段を有するサーバーと、前記サーバーからネットワークを介し定期的に着信要求を受け無鳴動で着信し、当該携帯電話端末に保存しているデータと前記サーバーから受信した当該携帯電話端末に係わるバックアップ用データとを比較し差分データの検出を行い、差分が検出された場合に前記差分データを付加した応答メッセージを前記サーバーに送信する手段を有する携帯電話端末とを備える。
【０００９】
本発明のサーバーは、携帯電話端末に保存されているデータを自己の記憶手段に格納するデータバックアップ用のサーバーであって、携帯電話端末へ着信要求を行う着信要求信号を定期的に送信するため任意の周期を設定するタイマ設定部と、前記タイマ設定部の設定値を超えたときに携帯電話端末へ前記着信要求信号および当該携帯電話端末のバックアップ用データを送信する着信要求送信部と、前記着信要求信号を送信した後に当該携帯電話端末から応答メッセージを受信する応答確認部と、前記応答メッセージに当該携帯電話端末側差分データが付加されているか否かを判定する差分判定部と、前記差分判定部が差分データの存在を確認した場合前記記憶手段における当該携帯電話端末に係わるバックアップ用データを更新するデータ更新部とを備える。さらに、ネットワークを介して接続される情報処理端末からの指示に基づき、保存している携帯電話端末に係わるデータの編集を行うデータ編集部を備える構成としてもよい。
【００１０】
本発明の携帯電話端末は、ネットワークを介しデータバックアップ用のサーバーと接続する携帯電話端末であって、着信が通常着信および前記サーバーからの着信のいずれであるかを判定する着信判定部と、前記着信判定部が前記サーバーからの着信であると判定した場合に無鳴動で着信する無鳴動着信部と、前記サーバーから送信されたデータを受信し当該携帯電話端末の記憶手段に保存されているデータと比較し差分の有無を検出するデータ判定部と、前記データ判定部によって差分データの存在が確認された場合その差分データを付加した応答メッセージを前記サーバーに送信する応答メッセージ送信部とを備える。さらに、前記データ判定部の指示に基づき、保存しているデータの更新を行うデータ更新部を備える構成としてもよい。
【００１１】
本発明のデータバックアップシステムは、携帯電話端末に保存されているデータを自己の記憶手段に格納するデータバックアップ用のサーバーと、ネットワークを介し前記サーバーと接続される携帯電話端末とを有し、前記サーバーは、携帯電話端末へ着信要求を行う着信要求信号を定期的に送信するため任意の周期を設定するタイマ設定部と、前記タイマ設定部の設定値を超えたときに携帯電話端末へ前記着信要求信号および当該携帯電話端末のバックアップ用データを送信する着信要求送信部と、前記着信要求信号を送信した後に当該携帯電話端末から応答メッセージを受信する応答確認部と、前記応答メッセージに当該携帯電話端末側差分データが付加されているか否かを判定する差分判定部と、前記差分判定部が差分データの存在を確認した場合前記記憶手段における当該携帯電話端末に係わるバックアップ用データを更新するデータ更新部とを備え、前記携帯電話端末は、着信が通常着信および前記サーバーからの着信のいずれであるかを判定する着信判定部と、前記着信判定部が前記サーバーからの着信であると判定した場合に無鳴動で着信する無鳴動着信部と、前記サーバーから送信されたデータを受信し当該携帯電話端末の記憶手段に保存されているデータと比較し差分の有無を検出するデータ判定部と、前記データ判定部によって差分データの存在が確認された場合その差分データを付加した応答メッセージを前記サーバーに送信する応答メッセージ送信部とを備える。
【００１２】
本発明のデータバックアップシステムは、携帯電話端末に保存されているデータを自己の記憶手段に格納するデータバックアップ用のサーバーと、ネットワークを介し前記サーバーと接続される情報処理端末および携帯電話端末とを有し、前記サーバーは、携帯電話端末へ着信要求を行う着信要求信号を定期的に送信するため任意の周期を設定するタイマ設定部と、前記タイマ設定部の設定値を超えたときに携帯電話端末へ前記着信要求信号および当該携帯電話端末のバックアップ用データを送信する着信要求送信部と、前記着信要求信号を送信した後に当該携帯電話端末から応答メッセージを受信する応答確認部と、前記応答メッセージに当該携帯電話端末側差分データが付加されているか否かを判定する差分判定部と、前記差分判定部が差分データの存在を確認した場合前記記憶手段における当該携帯電話端末に係わるバックアップ用データを更新するデータ更新部と、前記情報処理端末からの指示に基づき、保存している携帯電話端末に係わるデータの編集を行うデータ編集部とを備え、前記携帯電話端末は、着信が通常着信および前記サーバーからの着信のいずれであるかを判定する着信判定部と、前記着信判定部が前記サーバーからの着信であると判定した場合に無鳴動で着信する無鳴動着信部と、前記サーバーから送信されたデータを受信し当該携帯電話端末の記憶手段に保存されているデータと比較し差分の有無を検出するデータ判定部と、前記データ判定部によって差分データの存在が確認された場合その差分データを付加した応答メッセージを前記サーバーに送信する応答メッセージ送信部と、前記データ判定部の指示に基づき、保存しているデータの更新を行うデータ更新部とを備える。
【００１３】
本発明のデータバックアップ方法は、携帯電話端末に保存しているデータをネットワークに接続されるサーバーでバックアップを行うデータバックアップ方法であって、前記サーバーから定期的に携帯電話端末へ着信要求を行い無鳴動で着信させ、バックアップ用に保存しているデータを当該携帯電話端末に対し送信するステップと、当該携帯電話端末から受信した応答メッセ−ジの中に当該携帯電話端末によって検出された差分データが存在するか否かを判定するステップと、この差分データが存在する場合にはこのデータに基づいて前記サーバーに保存している当該携帯電話端末のバックアップ用データを更新するステップとを有し、前記携帯電話端末で、前記サーバーからの着信か否かを判定するステップと、前記サーバー以外からの着信の場合には通常着信を行うステップと、前記サーバーからの着信の場合には無鳴動で着信を行うステップと、前記サーバーから受信した当該携帯電話端末に係わるバックアップ用データと当該携帯電話端末に保存しているデータとを比較し差分データを検出するステップと、前記差分データが検出された場合に差分データが存在することを示す応答メッセージおよび前記差分データを前記サーバーに送信するステップとを有する。
【００１４】
また、本発明のデータバックアップ方法は、携帯電話端末に保存しているデータをネットワークに接続されるサーバーでバックアップを行うデータバックアップ方法であって、外部の情報処理端末から前記サーバーに保存されている携帯電話端末に係わるバックアップ用データの編集がなされた場合に前記サーバーで保存データの差分を検出するステップと、差分データを検出した場合そのデータを付加し当該携帯電話端末へ着信要求を送信し無鳴動で着信させるステップと、当該携帯電話端末でのデータ更新後に応答メッセージの受信を確認するステップとを有し、前記携帯電話端末で、前記サーバーからの着信か否かを判定するステップと、前記サーバー以外からの着信の場合には通常着信を行うステップと、前記サーバーからの着信の場合には無鳴動で着信を行うステップと、前記サーバーから受信した当該携帯電話端末に係わるバックアップ用差分データに基づいて当該携帯電話端末内のデータを更新するステップと、更新完了後に応答メッセージを前記サーバーに送信するステップとを有する構成としてもよい。
【００１５】
さらに、本発明のデータバックアップ方法は、携帯電話端末に保存しているデータをネットワークに接続されるサーバーでバックアップを行うデータバックアップ方法であって、前記サーバーから定期的に前記携帯電話端末へ着信要求を行い無鳴動で着信させるステップと、前記携帯電話端末で検出した位置情報に差分が生じているか否かを判定するステップと、差分が生じている場合には応答メッセージに位置情報データの差分を付加し差分がない場合には差分なしの応答メッセージを前記サーバーに送信するステップとを有する構成としてもよいし、前記携帯電話端末が圏外あるいは電源オフで電波が届かない状態から電波が届く状態になった時点で位置登録を携帯電話網に行うステップと、前記位置登録を受付けこの携帯電話網が前記サーバーを起動するステップと、前記サーバーでは当該携帯電話端末へ未送信のサーバー側差分データが存在するか否かを検出するステップと、このサーバー側差分データが存在する場合に当該携帯電話端末に無鳴動で着信しサーバー側差分データを送信するステップと、当該携帯電話端末ではこのサーバー側差分データに基づき携帯電話端末内のデータを更新するステップと、携帯電話端末側差分データが存在する場合にはこの差分データを応答メッセージと共に前記サーバーに送信するステップと、前記サーバーでは受信した携帯電話端末側差分データに基づき当該携帯電話端末に係わるバックアップ用データを更新するステップとを有する構成としてもよい。
【００１６】
本発明によれば、携帯電話端末において、サーバーがオペレーターを介さずに自動的、定期的に携帯電話端末に信号を送信し無鳴動で着信し、アドレス帳や保存データの差分を検出したうえで差分をサーバーにアップロードしているので、鳴動着信の煩わしさ、携帯電話端末側の操作をすることなくデータのバックアップおよび修正することができる。
【００１７】
【発明の実施の形態】
次に、本発明の実施の形態について図面を参照して詳細に説明する。
【００１８】
図１は本発明の第１の実施の形態に係わるデータバックアップシステムを示す図である。図１において、携帯電話端末１は無線回線を介し基地局２に接続され、基地局２は携帯電話網３およびＩＰ網４を介してサーバー５に接続される。サーバー５は一般的なインターネット６に接続される。
【００１９】
サーバー５は、携帯電話端末１に保存されているデータをメモリ５１に格納するデータバックアップ用のサーバーであり、その中央制御部５２は、タイマ設定部５２１と、着信要求送信部５２２と、応答確認部５２３と、差分判定部５２４と、データ更新部５２５とを備える。タイマ設定部５２１は、携帯電話端末へ着信要求を行う着信要求信号を定期的に送信するため任意の周期を設定する。着信要求送信部５２２は、タイマ設定部５２１の設定値を超えたときに携帯電話端末へ着信要求信号および当該携帯電話端末のバックアップ用データを送信する。応答確認部５２３は着信要求信号を送信した後に当該携帯電話端末から応答メッセージを受信する。差分判定部５２４は、応答メッセージに当該携帯電話端末側差分データが付加されているか否かを判定する。データ更新部５２５は、差分判定部５２４が差分データの存在を確認した場合メモリ５１における当該携帯電話端末に係わるバックアップ用データを更新する。
【００２０】
携帯電話端末１は、ネットワークを介しデータバックアップ用のサーバーと接続する携帯電話端末であり、データ保存用のメモリ１１を有し、中央制御部１２は、着信判定部１２１と、無鳴動着信部１２２と、データ判定部１２３と、応答メッセージ送信部１２４とを備える。着信判定部１２１は着信が通常着信およびサーバー５からの着信のいずれであるかを判定する。無鳴動着信部１２２は、着信判定部１２１がサーバー５からの着信であると判定した場合に無鳴動で着信する。データ判定部１２３は、サーバー５から送信されたデータを受信し当該携帯電話端末のメモリ１１に保存されているデータと比較し差分の有無を検出する。応答メッセージ送信部１２４は、データ判定部１２３によって差分データの存在が確認された場合その差分データを付加した応答メッセージをサーバー５に送信する。
【００２１】
次に、第１の実施の形態の動作を説明する。図２は図１の動作を説明するためのシーケンス図である。サーバーがタイマ設定値をタイムアウトしたら、着信要求により携帯電話端末に無鳴動で着信する。携帯電話端末は携帯電話端末側差分データを検出する。携帯電話端末は差分ありの場合には応答メッセージに携帯電話側差分データを付加し、差分なしの場合には差分なしの応答メッセージのみを送信する。サーバーはそれを受信し、携帯電話端末側差分データが付加されてきたらサーバー上のデータ、すなわちサーバーに保存されている当該携帯電話端末のデータを更新する。
【００２２】
図３は図１におけるサーバーの動作を説明するためのフローチャートである。図３において、サーバーが自動的に、定期的に携帯電話端末に着信要求のための信号を送信し（ステップ３１：Ｓ３１と略称，以降同様）、無鳴動で着信を行うために前もってタイマーが設定されている。このタイマーは分単位から日、週単位まで自由に変更が可能である。着信要求を携帯電話端末に送信した後（Ｓ３２）、携帯電話端末からの応答メッセージを待つ（Ｓ３３）。応答メッセージを受信したら受信データに差分があるか否かを判断する（Ｓ３４）。受信データに差分がない場合には、何も行わない（Ｓ３７）。受信データに差分がある場合（Ｓ３５）、携帯電話端末から差分データありで応答メッセージを受信しサーバー上の当該携帯電話端末に係わるデータを更新する（Ｓ３６）。
【００２３】
図４は図１における携帯電話端末の動作を説明するためのフローチャートである。図４において、携帯電話端末が着信要求受信時（Ｓ４１）、サーバーからの着信要求か否かを判断する（Ｓ４２）。サーバーからの着信要求でない場合には通常通り鳴動着信する（Ｓ４３）。サーバーからの着信要求の場合、無鳴動で着信し、携帯電話端末は、自身のメモリに保存しているデータとサーバーから受信したデータとを比較し、携帯電話端末側差分データを検出する（Ｓ４４）。この際、通常の着信ではなく、ショートメッセージのような特別な着信方法を利用しても良い。Ｓ４５によりデータに差分がある場合には、携帯電話端末は携帯電話端末側差分データを付加し応答メッセージをサーバーに送信する（Ｓ４６）。データに差分がない場合には、サーバーには携帯電話端末側差分データなしで応答メッセージを送信する（Ｓ４７）。
【００２４】
次に本発明の第２の実施の形態について説明する。
【００２５】
図５は本発明の第２の実施の形態に係わるデータバックアップシステムを示す図である。その基本的構成は上述した第１の実施の形態と同様であるが、サーバー上のデータへのアクセス方法をさらに工夫している。すなわち、タイムアウトによる自動的、定期的のデータの更新処理だけでなく、代表的な情報処理端末であるパーソナルコンピュータ（ＰＣ）からインターネット経由でサーバーへアクセスしデータを更新することも随時可能としている。図５では図１のインターネット６の先に一般的なＰＣ７を付加している。
【００２６】
メモリ５１ａを有するサーバー５ａは、図１に示したものに加えて、中央制御部５２ａに、ネットワークを介して接続される情報処理端末からの指示に基づき、保存している携帯電話端末に係わるデータの編集を行うデータ編集部５２６を備える。一方、携帯電話端末１ａは、メモリ１１ａを有し、図１に示したものに加えて、中央制御部１２ａに、データ判定部１２３の指示に基づき、保存しているデータの更新を行うデータ更新部１２５を備える。なお、その他各部は上述した第１の実施の形態と同一なので説明を省略する。第２の実施の形態では、サーバー上のデータは、ＰＣ７から編集可能とし、編集したデータは、すぐさまもしくは事前に設定したタイマーのタイムアウト時に携帯電話端末へ第１の実施の形態と同様の仕組みを利用してダウンロードされる。
【００２７】
図６は図５の動作を説明するためのシーケンス図である。ＰＣ等によりデータが編集され差分がでると、サーバーはそのサーバー側差分データを付加し携帯電話端末に無鳴動で着信要求を送信する。着信要求を受けた携帯電話端末は、そのサーバー側差分データをもとに携帯電話端末内のデータを更新する。データ更新後に、携帯電話端末は更新完了の応答メッセージをサーバーに送信する。
【００２８】
図７は図５におけるサーバーの動作を説明するためのフローチャートである。図７において、サーバーのデータがＰＣ等により編集されデータに差分がでた際には（Ｓ７１）、そのサーバー側差分データを付加し、携帯電話端末に無鳴動で着信要求を送信した後（Ｓ７２）、携帯電話端末からの応答メッセージを受信する（Ｓ７３）。
【００２９】
図８は図５における携帯電話端末の動作を説明するためのフローチャートである。図８において、携帯電話端末が着信要求受信時（Ｓ８１）、サーバーからの着信要求か否かを判断する（Ｓ８２）。サーバーからの着信要求でない場合には通常通り鳴動着信する（Ｓ８３）。サーバーからの着信要求の場合、無鳴動で着信後（Ｓ８４）、付加されたサーバー側差分データをもとに携帯電話端末内のデータを更新する（Ｓ８５）。データ更新後、データの更新完了の応答メッセージをサーバーに送信する（Ｓ８６）。
【００３０】
この第２の実施の形態における第１の効果は、サーバー側で任意に携帯電話端末のデータを書き換えられることである。その際、着信要求のメッセージにはサーバー側差分データを含んでおり、携帯電話端末はそのサーバー側差分データをもとに携帯電話端末内のデータを更新することができる。また第２の効果は、携帯電話端末紛失時、サーバーに携帯電話端末内のデータ消去の情報を登録することで、紛失した携帯電話端末内のデータを全て消去することができ、第三者への個人情報の漏洩を防ぐことができる。携帯電話端末内のデータが消去されてもサーバー上のデータ自体は消去しないようにすれば、携帯電話端末発見時にはサーバー上のデータをダウンロードすることで、紛失前のデータと同じ状態に戻すことが可能である。
【００３１】
次に、本発明の第３の実施の形態を説明する。その基本的構成は上述した図１の通りであるが、携帯電話端末の位置情報管理機能を追加利用してさらに工夫している。本形態における動作は図２と同様であり携帯電話端末内のデータを携帯電話端末の位置情報データと置き換える。サーバーがタイムアウトしたら着信要求により携帯電話端末に無鳴動で着信する。携帯電話端末は位置情報データの差分を検出する。携帯電話端末は差分ありの場合には応答メッセージに位置情報データの差分を付加し、差分なしの場合には差分なしの応答メッセージのみを送信する。サーバーはそれを受信し、位置情報データの差分が付加されてきたらサーバー上のデータを更新する。
【００３２】
第３の実施の形態における第１の効果は、サーバーが定期的、自動的に携帯電話端末の移動管理を行うので、企業向けのトラックや、宅配便集配車、タクシー、バス等の現在の位置、通過したルートを把握することができる。また第２の効果は、それらの位置情報データはサーバー上に保存され、過去の経路とその経路の所要時間等のデータの参照も行うことができるので、経路計画時に最適な経路を検索することができる。さらに第３の効果は、位置管理を行うことで携帯電話端末紛失時に、携帯電話端末の現在位置を知ることも可能である。圏外等で電波が届かない場合でも、電波が届いていた地点のデータがサーバーにアップロードされているので携帯電話端末がどういった経路をたどり紛失されたのか、おおよその目安になりうる。
【００３３】
次に、本発明の第４の実施の形態について説明する。
【００３４】
本実施の形態では、上述した第２、第３の実施の形態の動作に、携帯電話端末が圏外や電源オフ等電波が届かない状態から電波が届く状態になった時点で、必ず携帯電話網に位置登録を行い、携帯電話網がサーバーを起動し位置登録を行うという機能を追加する。
【００３５】
図９は本実施の形態の動作を説明したシーケンス図である。携帯電話端末は圏外や電源オフ等電波が届かない状態から電波が届く状態になった時点で必ず携帯電話網に位置登録を行い、それを受けた携帯電話網の交換局（図示せず）はサーバーを起動して位置登録を行う。サーバーはＰＣ等により消去情報が登録、またはデータが編集されて、サーバー側差分データがある場合、検出されたサーバー側差分データを付加し、着信要求により携帯電話端末に無鳴動で着信し、携帯電話端末にその消去情報やデータをダウンロードさせる。サーバー側差分データがない場合でも、着信要求は送信する。携帯電話端末はサーバー側差分データがあれば携帯電話端末内のデータを更新する。
【００３６】
次に、携帯電話端末内のサーバーへ未送信の携帯電話端末側差分データを検出し、携帯電話端末側差分データがある場合にはその携帯電話端末側差分データを付加し応答メッセージをサーバーに送信する。サーバーはそれを受信しサーバー上のデータを更新する。差分を検出しなかった場合には差分なしの応答メッセージのみをサーバーに送信し、サーバーは応答メッセージを受信するだけで何も行わない。
【００３７】
図１０は図９におけるサーバーの動作を説明するためのフローチャートである。図１０において、サーバーは携帯電話端末からの起動位置登録を受信する（Ｓ１０１）。Ｓ１０２によりサーバー内に未送信のサーバー側差分データがない場合には、無鳴動で着信要求を送信する（Ｓ１０３）。Ｓ１０２によりサーバー側差分データがある場合には、そのサーバー側差分データを付加して無鳴動で着信要求を送信する（Ｓ１０４）。その後は図３のＳ３４以降の動作と同じなので説明を省略する。
【００３８】
図１１は図９における携帯電話端末の動作を説明するためのフローチャートである。図１１において、一連の動作は図４と同様であるが、図４のＳ４２以後、幾つかの動作を追加している。始めに、携帯電話端末は無鳴動で着信しし（Ｓ１１４）、Ｓ１１５によりサーバー側差分データが付加されていると判定した場合、そのサーバー側差分データをもとに携帯電話端末内のデータを更新する（Ｓ１１６）。データ更新後、携帯電話端末はサーバーに未送信の携帯電話端末側差分データを検出する（Ｓ１１８）。その後の動作は図４のＳ４４以後と同様であるので説明を省略する。
【００３９】
第４の実施の形態における第１の効果は、サーバーは携帯電話端末側差分データのアップロード、携帯電話端末はサーバー側差分データのダウンロードを行うので、携帯電話端末が圏外や電源オフ等電波が届かない状態から電波が届く状態になった時点で必ず双方のデータの同期をとることが可能である。また第２の効果として、サーバー上のデータに消去情報が登録、または差分が生じ携帯電話端末に着信要求を送信するが携帯電話端末がその着信要求を受信できない時であっても、サーバーはその情報を保持しておき、携帯電話端末がサーバーに位置登録をしにきた時点でその携帯電話端末内のデータの消去、または差分データとして書き換えることができるので、携帯電話端末の所在を気にすることなくＰＣ等からデータ編集作業を行うことができる。
【００４０】
なお、上述した携帯電話端末のデータバックアップは、全ての携帯電話端末または、予め選択した携帯電話端末のいずれに適用してもよい。
【００４１】
【発明の効果】
以上説明したように本発明によれば、サーバーはオペレーターを介せずに自動的、定期的に携帯電話端末に無鳴動で着信しているので、携帯電話端末側の操作が不要で、更新を忘れることなくデータの差分のアップロードを行いデータのバックアップが可能である。また、無鳴動で着信するので、鳴動着信時の煩わしさも無く、着信時間を気にせずにデータのバックアップを行うことができる。
【図面の簡単な説明】
【図１】本発明の第１の実施の形態に係わるデータバックアップシステムを示す図である。
【図２】図１の動作を説明するためのシーケンス図である。
【図３】図１におけるサーバーの動作を説明するためのフローチャートである。
【図４】図１における携帯電話端末の動作を説明するためのフローチャートである。
【図５】本発明の第２の実施の形態に係わるデータバックアップシステムを示す図である。
【図６】図５の動作を説明するためのシーケンス図である。
【図７】図５におけるサーバーの動作を説明するためのフローチャートである。
【図８】図５における携帯電話端末の動作を説明するためのフローチャートである。
【図９】本発明の第４の実施の形態に係わるデータバックアップシステムの動作を説明するためのシーケンス図である。
【図１０】図９におけるサーバーの動作を説明するためのフローチャートである。
【図１１】図９における携帯電話端末の動作を説明するためのフローチャートである。
【符号の説明】
１    携帯電話端末
２    基地局
３    携帯電話網
４    ＩＰ網
５    サーバー
６    インターネット
７    ＰＣ
１１，１１ａ，５１，５１ａ    メモリ
１２，１２ａ，５２，５２ａ    中央制御部
１２１    着信判定部
１２２    無鳴動着信部
１２３    データ判定部
１２４    応答メッセージ送信部
１２５    データ更新部
５２１    タイマ設定部
５２２    着信要求送信部
５２３    応答確認部
５２４    差分判定部
５２５    データ更新部
５２６    データ編集部
【図１】
2004228659.tif 000003
【図２】
2004228659.tif 000004
【図３】
2004228659.tif 000005
【図４】
2004228659.tif 000006
【図５】
2004228659.tif 000007
【図６】
2004228659.tif 000008
【図７】
2004228659.tif 000009
【図８】
2004228659.tif 000010
【図９】
2004228659.tif 000011
【図１０】
2004228659.tif 000012
【図１１】
2004228659.tif 000013